(57)【要約】【課題】用紙の設置に便利な用紙挟持装置を提供する。【解決手段】用紙挟持装置は、支持板と、前記支持板に移動可能に設置された二つの用紙挟持板及び上蓋と、を備え、前記上蓋は前記支持板に固定され、各々の前記用紙挟持板は、挟持部を備え、用紙は前記支持板に設置され、前記用紙挟持板は、該支持板に設置され、前記支持板の底部には、駆動機構が設置され、前記上蓋を閉めた際、前記二つの挟持部は、前記用紙を用紙の幅方向で挟み込み、前記上蓋を開けた際、前記二つの用紙挟持板が互いに相対する方向に向かって離間移動して、前記二つの挟持部の距離が前記用紙の幅より大きくなることを特徴とする用紙挟持装置。【選択図】図２
2013040048.tif 000002
【特許請求の範囲】
【請求項１】
支持板と、前記支持板に移動可能に設置された二つの用紙挟持板及び上蓋と、を備える用紙挟持装置であって、
前記上蓋は前記支持板に固定され、各々の前記用紙挟持板は、挟持部を備え、用紙は前記支持板に設置され、前記用紙挟持板は、該支持板に設置され、前記支持板の底部には、駆動機構が設置され、
前記上蓋を閉めた際、前記二つの挟持部は、前記用紙を該用紙の幅方向で挟み込み、前記上蓋を開けた際、前記二つの用紙挟持板が互いに相対する方向に向かって離間移動して、前記二つの挟持部の距離が前記用紙の幅より大きくなることを特徴とする用紙挟持装置。
【請求項２】
前記支持板には、二つのスライド槽が設けられ、前記用紙挟持板は、前記挟持部の底部に固定された駆動部を備え、前記駆動部は前記スライド槽を貫通して、前記二つの用紙挟持板を互いに移動させることを特徴とする請求項１に記載の用紙挟持装置。
【請求項３】
前記支持板には、孔が設けられ、前記二つの用紙挟持板の駆動部には、互いに相対する側面に第一歯条部がそれぞれ設けられ、
前記駆動機構は、センサー機構と、前記孔内に設置された第一固定部材と、前記支持板の底部と接触する第二固定部材と、前記支持板の底部に固定された第一ギア及び第二ギアと、を備え、
前記第一固定部材は、第一斜面を備え、前記第二固定部材は、前記第一斜面と接触する第二斜面を備え、且つ前記第二固定部材には、前記第一ギアと噛合するための第二歯条部が設けられ、前記上蓋を閉めた際、前記センサー機構は前記第一固定部材を上方に向かって動かして、前記二つの用紙挟持板が、前記第二固定部材、前記第一ギア及び前記第二ギアにより移動することを特徴とする請求項２に記載の用紙挟持装置。
【請求項４】
前記上蓋には、前記支持板に向かって垂直に延伸して形成された二つの固定柱が設けられ、前記センサー機構は、前記二つの固定柱の間に設置され、前記センサー機構は、中間棒と、前記中間棒の一端に固定されたカム及び前記中間棒の他端に固定されたセンサー棒と、を備え、前記センサー棒の末端には、前記用紙と接触する二つのローラーが固定されていることを特徴とする請求項３に記載の用紙挟持装置。
【請求項５】
前記支持板の底部は、前記第二固定部材と対向する留め板を備え、前記駆動機構は、前記第二固定部材と前記留め板との間に設置された弾性部材を備えることを特徴とする請求項３または４に記載の用紙挟持装置。
【請求項６】
前記駆動機構は、駆動部材を備え、前記駆動部材の両側には、前記第一ギアと前記第二ギアとを連動するための二つの第三歯条部がそれぞれ設けられていることを特徴とする請求項３から５のいずれか一項に記載の用紙挟持装置。
【発明の詳細な説明】
【技術分野】
【０００１】
本発明は、用紙挟持装置に関するものである。
【背景技術】
【０００２】
プリンタは、コンピュータの情報出力に用いられる装置の一つであり、コンピュータからの情報を用紙に印刷する。一般的に、プリンタは、用紙を設置するための用紙挟持装置と、用紙を給紙するための給紙機構と、を備える。従来の前記用紙挟持装置は、支持板と、前記支持板に固定された挟持板と、を備え、二つの挟持板の間の距離は、予め、用紙の幅と同じに設定されている。従って、先ず用紙を整えてから、前記用紙挟持装置に設置しなければならないので、不便である。
【発明の概要】
【発明が解決しようとする課題】
【０００３】
以上の問題点に鑑みて、本発明は、用紙の設置に便利な用紙挟持装置を提供する。
【課題を解決するための手段】
【０００４】
前記目的を達成するために、本発明に係る用紙挟持装置は、支持板と、前記支持板に移動可能に設置された二つの用紙挟持板及び上蓋と、を備え、前記上蓋は前記支持板に固定され、各々の前記用紙挟持板は、挟持部を備え、用紙は前記支持板に設置され、前記用紙挟持板は、該支持板に設置され、前記支持板の底部には、駆動機構が設置され、前記上蓋を閉めた際、前記二つの挟持部は、前記用紙を用紙の幅方向で挟み込み、前記上蓋を開けた際、前記二つの用紙挟持板が互いに相対する方向に向かって離間移動して、前記二つの挟持部の距離が前記用紙の幅より大きくなる。
【発明の効果】
【０００５】
本発明に係る用紙挟持装置は、前記上蓋を開けた際、前記二つの用紙挟持板の距離が用紙の幅より大きくなるので、用紙を設置する前に、用紙を整えなくてもよいため、便利である。
【図面の簡単な説明】
【０００６】
【図１】本発明に係る用紙挟持装置の斜視図である。
【図２】図１に示した用紙挟持装置の分解斜視図である。
【図３】図１に示した用紙挟持装置の別の角度から見た分解斜視図である。
【図４】図１に示した用紙挟持装置の別の角度から見た斜視図である。
【図５】図１に示した用紙挟持装置がもたらす挟持力と用紙の厚さとの関係を示す図である。
【発明を実施するための形態】
【０００７】
以下、図面に基づいて、本発明に係る用紙挟持装置について詳細に説明する。
【０００８】
図１〜図３を参照すると、本発明に係る用紙挟持装置１００は、支持板１０と、前記支持板１０に移動可能に設置された二つの用紙挟持板２０と、上蓋３０及び前記支持板１０の底部に設置された駆動機構４０と、を備える。用紙２００は、前記支持板１０上に設置され、且つ二つの前記用紙挟持板２０間に位置する。二つの前記用紙挟持板２０は、ユーザーが前記上蓋３０を開けた際、前記駆動機構４０と共に駆動して、二つの前記用紙挟持板２０の距離を調整する。また、前記支持板１０は、同じ直線上に、並列して位置する二つのスライド槽１１と、該支持板１０の一隅に設けられた一つの孔１２と、を備える。また、前記支持板１０は、更に、その底部に、第一定位柱１３と、第二定位柱１４と、留め板１５と、を備え、前記第一定位柱１３は、二つの前記スライド槽１１の間に設置される。各々の前記用紙挟持板２０は、挟持部２１と、前記挟持部２１の底部に固定された駆動部２２と、を備える。前記駆動部２２は、前記スライド槽１１を貫通し、且つその相対する側面には、第一歯条部２３がそれぞれ設けられている。
【０００９】
前記上蓋３０は、蓋板３１と、前記蓋板３１の両側から垂直にそれぞれ延伸して形成された二つの側板３２と、を備え、二つの前記側板３２は、前記支持板１０の両側に、回転可能に固定される。前記蓋板３１には、前記支持板１０に向かって垂直に延伸して形成された二つの固定柱３３が設けられている。二つの固定柱３３は、一方が蓋板３１の長手方向の一端部、他方が長手方向の中央部に設置されている。
【００１０】
前記駆動機構４０は、センサー機構４１と、第一固定部材４２と、第二固定部材４３と、弾性部材４４と、第一ギア４５と、駆動部材４６及び第二ギア４７と、を備える。前記センサー機構４１は、前記上蓋３０の二つの前記固定柱３３の間に、回転可能に設置され（図４を参照）、前記用紙２００の厚さＨを検知し、且つ前記第一固定部材４２を移動させる。前記センサー機構４１は、中間棒４１１と、前記中間棒４１１の一端に固定されたカム４１２及び前記中間棒４１１の他端に固定されたセンサー棒４１３と、を備える。前記カム４１２は、曲面４１２０を備え、該曲面４１２０は、円弧状を呈する。前記センサー棒４１３は、前記中間棒４１１の他端から垂直に延伸して形成され、且つその末端には、二つのローラー４１３０が相対してセンサー棒の末端を挟持するように設けられている。前記センサー棒４１３の重力によって、前記ローラー４１３０は、前記用紙２００と終始接触し、前記用紙２００の厚さＨが減少する際、前記センサー棒４１３は、前記中間棒４１１の一端に設置された前記カム４１２を動かす。前記第一固定部材４２は、前記支持板１０の前記孔１２内において、上下に移動可能に設置され、前記上蓋３０が閉じられた際、前記センサー機構４１の前記カム４１２と前記第一固定部材４２の頂部とは接触する。前記第二固定部材４３は、前記支持板１０の底部に移動可能に、且つ前記第二定位柱１４と隣接して設置され、また、前記留め板１５と対向する。前記第一固定部材４２は、第一斜面４２０を備え、前記第二固定部材４３は、該第一斜面４２０と接触する第二斜面４３１と、前記第二定位柱１４に向かって形成された第二歯条部４３２と、を備える。本発明の実施形態において、前記弾性部材４４は渦巻ばねであり、前記第二固定部材４３と前記留め板１５との間に設置される。
【００１１】
前記第二ギア４７及び前記第一ギア４５は、前記支持板１０の前記第一定位柱１３及び前記第二定位柱１４にそれぞれ接触し、前記駆動部材４６の両側には、前記第一ギア４５と前記第二ギア４７とを連動させるための二つの第三歯条部４６０がそれぞれ設けられている。前記第一ギア４５と前記第二ギア４７とは、第三歯条部４６０を介して噛合している。前記第一ギア４５は、前記第二固定部材４３の前記第二歯条部４３２と噛合し、前記第二ギア４７は、二つの前記用紙挟持板２０の前記第一歯条部２３と噛合して、前記第二ギア４７が回転する際、二つの前記用紙挟持板２０は、前記スライド槽１１に沿って移動する。
【００１２】
図４は、前記上蓋３０が閉じている状態を示している。この際、前記カム４１２と前記第一固定部材４２とは接触し、前記弾性部材４４は圧縮されて、二つの前記用紙挟持板２０の距離は、前記用紙２００の幅より小さくなる（用紙２００が設置されていない場合）。また、前記上蓋３０が開いた際、前記カム４１２と前記第一固定部材４２とは互いに離れ、前記弾性部材４４は弾性復帰し、且つ前記第二固定部材４３を動かす。これにより、前記第二固定部材４３の前記第二歯条部４３２と噛合している前記第一ギア４５は時計回りに回転し、同時に、前記駆動部材４６は、前記第二ギア４７を反時計回りに回転させて、二つの前記用紙挟持板２０を動かして、二つの前記挟持部２１の距離を前記用紙２００の幅より大きくする。これにより、二つの前記用紙挟持板２０の間に、容易に前記用紙２００を設置することができる。
【００１３】
前記用紙２００を設置した後、前記上蓋３０を閉じると、前記カム４１２の前記曲面４１２０は、前記第一固定部材４２と接触し、該第一固定部材４２は、前記カム４１２に押され（突き出され）て、前記孔１２に沿って、且つ上方に向かって動く。これにより、二つの前記ローラー４１３０は前記用紙２００を支持し、前記第一固定部材４２は、前記カム４１２の上方に向かって動き、前記第二固定部材４３を動かす。この際、該第二固定部材４３は、前記弾性部材４４と接触し、前記第二固定部材４３の前記第二歯条部４３２と噛合している前記第一ギア４５を反時計回りに回転させて、前記駆動部材４６を移動させ、且つ第二ギア４７を連動させて時計回りに回転させる。これにより、二つの前記用紙挟持板２０は、相対する方向に向かって接近移動し、二つの前記挟持部２１間で前記用紙２００を用紙２００の幅方向で挟み込み、前記用紙２００に挟持力Ｆを与える。
【００１４】
図５を併せて参照すると、前記用紙２００の厚さＨが減少する際、前記中間棒４１１の他端に固定された前記センサー棒４１３は、前記上蓋３０において回転し、前記中間棒４１１の一端に固定された前記カム４１２も該センサー棒４１３と共に回転する。この際、前記カム４１２の前記曲面４１２０と接触する第一固定部材４２が上蓋３０側に移動することによって、前記弾性部材４４は弾性復帰して、前記第二固定部材４３を動かし、前記第一ギア４５、前記駆動部材４６及び前記第二ギア４７を動かして、前記二つの用紙挟持板２０を互いに相対する方向に離間移動させる。これにより、二つの前記挟持部２１の距離は大きくなり、前記用紙２００に与えた挟持力Ｆは減少する。前記用紙２００の厚さＨが、特定値になった際、挟持力Ｆは０になり（すなわち、二つの前記挟持部２１間の距離と前記用紙２００の幅とが等しくなり）、前記用紙２００が過度の挟持力で挟まれることによって変形することを防止する。
【００１５】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、言うまでもない。
【符号の説明】
【００１６】
１００        用紙挟持装置
２００        用紙
１０          支持板
１１          スライド槽
１２          孔
１３          第一定位柱
１４          第二定位柱
１５          留め板
２０          用紙挟持板
２１          挟持部
２２          駆動部
２３          第一歯条部
３０          上蓋
３１          蓋板
３２          側板
３３          固定柱
４０          駆動機構
４１          センサー機構
４１１        中間棒
４１２        カム
４１２０      曲面
４１３        センサー棒
４１３０      ローラー
４２          第一固定部材
４２０        第一斜面
４３          第二固定部材
４３１        第二斜面
４３２        第二歯条部
４４          弾性部材
４５          第一ギア
４６          駆動部材
４６０        第三歯条部
４７          第二ギア
【図１】
2013040048.tif 000003
【図２】
2013040048.tif 000004
【図３】
2013040048.tif 000005
【図４】
2013040048.tif 000006
【図５】
2013040048.tif 000007